(57)【特許請求の範囲】
【請求項１】
ボイラで発生し、加減弁を通った蒸気により駆動される高圧タービンと、前記高圧タービン駆動後の蒸気を再熱して得られインタセプト弁を通った再熱蒸気により駆動される中圧タービンと、前記高圧タービンをバイパスする高圧バイパス弁と、前記中圧タービン駆動後の蒸気により駆動される低圧バイパス弁とを有する発電プラントを制御するタービン制御装置において、
負荷しゃ断時、負荷しゃ断信号を用いて前記加減弁を全閉としたまま、タービン速度が定格速度時に前記インタセプト弁による速度制御を行うことを特徴とするタービン制御装置。
【請求項２】
請求項１において、負荷しゃ断信号を用いて通常運転時の加減弁開度制御信号から加減弁全閉位置信号に切替える切替手段を設けることを特徴とするタービン制御装置。
【請求項３】
請求項１において、負荷しゃ断信号を用いて負荷制限器を加減弁の全閉位置にランバックさせる手段を設けることを特徴とするタービン制御装置。
【請求項４】
請求項１から請求項３のいずれかにおいて、速度補正ゲイン切替手段を設け、負荷しゃ断信号を用いて、負荷しゃ断の発生から一定時間後に速度ゲインを通常ゲインから速度補正ゲインに切替えることを特徴とするタービン制御装置。
【請求項５】
請求項１から請求項４のいずれかにおいて、速度補正ゲイン切替手段を設け、発電機主しゃ断器の開閉信号と加減弁の弁開度全閉位置指令を用いて、負荷しゃ断の発生から一定時間後に速度ゲインを通常ゲインから速度補正ゲインに切替えることを特徴とするタービン制御装置。
【請求項６】
請求項１から請求項５のいずれかにおいて、加速度リレー再動作防止手段を設け、負荷しゃ断時インタセプト弁が急閉動作した後、再開する時のタービン速度上昇による加速度リレーの再動作を防止することを特徴とするタービン制御装置。
【請求項７】
請求項６において、加速度リレー再動作防止手段は、タービン実速度を加速度に変換する微分器と、予め設定した加速度設定値と前記加速度を比較する比較器と、負荷しゃ断時用に設定したタービン速度と前記タービン実速度を比較する通常時専用比較器と、負荷しゃ断時用に設定したタービン速度と前記タービン実速度を比較する負荷しゃ断時専用比較器と、所定時間後に作動するタイマからなることを特徴とするタービン制御装置。
【発明の詳細な説明】
【０００１】
【産業上の利用分野】
本発明は、タービンバイパス系統を有する蒸気タービンのタービン制御装置に関する。
【０００２】
【従来の技術】
高圧タービンとこの高圧タービンを駆動した後に再熱された蒸気により駆動される中圧タービンとを備え、両タービンをそれぞれバイパスするタービンバイパス系統を有する蒸気タービンにおいては、起動に際して、特開昭６１−６５００３号公報に示されているように、まず中圧タービンに蒸気を供給し、次に高圧タービンに蒸気を供給する中圧起動法が知られている。
図２に、タービンバイパス系統を有する蒸気タービン系の系統図を示す。ボイラ１の加熱器１８から高圧タービン４に至る主蒸気系統２１には、主蒸気止め弁２と蒸気流量を制御する加減弁３とを配置し、ボイラ１の再熱器６から中圧タービン１０に至る再熱系統２２には、再熱蒸気止め弁７と蒸気流量を制御するインタセプト弁８およびインタセプトバイパス弁９とを配置する。仕事を終えて復水器１２に回収される復水は、ポンプ装置１９を備えた復水系統２５によりボイラ１の加熱器１８に再び送り込まれる。高圧タービン４、中圧タービン１０、低圧タービン１１には、発電機１３が負荷として接続される。なお、逆止弁５は、タービンバイパス系統２３から高圧タービン４への蒸気の逆流を防止するために設けられる。
タービンバイパス系統とは、ボイラ１の加熱器１８で発生した蒸気を蒸気タービン４、１０、１１を通さずに、ボイラ１の再熱器６および復水器１２に循環させ、ボイラ１の起動時間の短縮や所内単独運転の継続等の操作を行なうためのバイパス系統である。
タービンバイパス系統運転中の蒸気の流れを説明する。ボイラ１の加熱器１８で発生した蒸気は、主蒸気系統２１からタービンバイパス系統２３に流入し、タービンバイパス系統の高圧バイパス弁１４を通り、高圧タービン４をバイパスして、ボイラ１の再熱器６へ流入する。再熱器６を経て再熱された蒸気は、低圧バイパス弁１５を通り、蒸気系統２４から復水器１２に流入する。したがって、中圧タービン１０、低圧タービン１１もバイパスされることになる。このようにして、ボイラ１で発生した蒸気は、主蒸気系統２１、タービンバイパス系統２３、再熱系統２２、蒸気系統２４を経て復水器１２に流入し、蒸気タービン４、１０、１１をバイパスする。
さて、このような従来のタービン系統において、通常運転中は、ボイラ１の加熱器１８で発生した蒸気は、主蒸気系統２１の加減弁３を通り、高圧タービン４で仕事をした後、逆止弁５を通り、再熱器６で再熱されて、再熱系統２２のインタセプト弁８およびインタセプトバイパス弁９を介して中圧タービン１０さらには低圧タービン１１で仕事をした後、復水器１２に排出される。
一方、起動の際のタービン通気時には、中圧タービン１０にまず蒸気が導入され、中圧起動がなされる。すなわち、ボイラ１の加熱器１８からの蒸気は、主蒸気系統２１を通り、高圧バイパス系統２３の高圧バイパス弁１４を通って、再熱器６で再熱された後、再熱系統２２のインタセプト弁８およびインタセプトバイパス弁９を介して中圧タービン１０さらには低圧タービン１１に送られ、一般的には、タービン通気から昇速さらには併入までの操作を実行する。中圧タービン１０に導入される再熱蒸気は、容量の大きい低圧バイパス弁１５により、圧力を所定値に制御される。ここで、タービン通気から併入までは、加減弁３は全閉状態であり、蒸気は高圧タービン４には導入されない。また、併入後、それ以上に負荷を上昇させる場合、蒸気加減弁３を開けていき、高圧タービン４に蒸気を導入する。
タービンバイパス系統を有する蒸気タービンを起動する場合には、まず蒸気タービンをリセットし、主蒸気止め弁２と再熱蒸気止め弁７とを全開しておき、高圧タービン４の暖機のため加減弁３を一定開度とし、インタセプトバイパス弁９を徐々に開き、蒸気タービンに蒸気を流入させ、タービンを昇速させる。併入後、インタセプトバイパス弁９およびインタセプト弁８が開き、インタセプト弁８が全開後、加減弁３が開き、更に多くの蒸気を中圧タービンに流入させる。蒸気タービンへの蒸気の流入量が増大するにつれ、高圧バイパス弁１４、低圧バイパス弁１５は閉まり、最終的には全閉し、通常の運転状態となる。
図７に、インタセプト弁８と加減弁３の開閉特性を示す。図７において、弁開度指令信号が０からａまでは速度制御領域であり、インタセプト弁８を徐々に開き、ａ後は負荷制御領域に入り、加減弁３を開けていく。
【０００３】
また、図６に、従来のタービン制御装置の一例を示す。通常、信号発生器６００には、定格タービン速度が設定されており、タービン実速度信号６２０との偏差を減算器６４１にて求め、速度調定率６０２にて乗算され、負荷設定器６０４の位置と加算器６４２において加算される。この時、負荷制限器６０３の位置は、全開位置にあるため、低値選択回路６０７により、加算器６４２の出力信号が選択され、加減弁開度特性６０８、インタセプト弁開度特性６１０、さらに、加減弁開速度変化率制限６０９、インタセプト弁開速度変化率制限６１１を通り、加減弁３、インタセプト弁８へ弁開度指令が出力される。ここで、加減弁３、インタセプト弁８への弁開度指令は、加減弁３の実弁開度、インタセプト弁８の実弁開度との偏差信号となる。
いま、負荷しゃ断が発生すると、タービン流入エネルギーと出力エネルギーのバランスがくずれ、タービン速度が上昇し、インタセプト弁８、加減弁３が急閉する。また、負荷しゃ断検出信号６２１（または、パワーロードアンバランス動作信号６２２など）をフリップフロップ６０５のセット端子に入力し、負荷しゃ断検出信号６２１により負荷設定器６０４にガバナランバック信号６５１を入力することで、負荷設定器６０４の位置をランバックさせる。また、ランバック位置は、比較器６０６により検出され、ランバック位置に到達した時点でランバック開始フリップフロップ６０５をリセットすることにより、ランバック停止させる。
このように、負荷しゃ断が発生すると、加減弁３、インタセプト弁８が急閉するため、タービン流入蒸気が急速に減少することから、タービン速度は降下する。このタービン速度降下により、減算器６４１の出力は、タービン定格速度以下の場合、＋信号を出力し、インタセプト弁８を開させる。本速度制御は、インタセプト弁８にて行うが、タービン速度の降下量により、インタセプト弁制御領域を越え、加減弁３も開き、タービン速度制御の相互干渉により、速度変動が発生することがある。図８に、この負荷しゃ断時のタービン速度と弁開度特性を示す。図８において、タービン速度が降下したとき、弁開度制御信号が開指令となり、加減弁３、インタセプト弁８が開き、タービン速度を上昇させ、一方、タービン速度が定格回転数を超えると、弁開度制御信号が閉指令となり、加減弁３、インタセプト弁８が閉じ、タービン速度を下降させる、という速度変動が発生する。
【０００４】
【発明が解決しようとする課題】
本発明の目的は、負荷しゃ断後、タービンが定格速度時にインタセプト弁の速度制御において、加減弁、インタセプト弁の相互干渉を防止し、プラントを安定運転するに好適なタービン制御装置を提供することにある。
【０００５】
【課題を解決するための手段】
上記目的は、ボイラで発生し、加減弁を通った蒸気により駆動される高圧タービンと、高圧タービン駆動後の蒸気を再熱して得られインタセプト弁を通った再熱蒸気により駆動される中圧タービンと、高圧タービンをバイパスする高圧バイパス弁と、中圧タービン駆動後の蒸気により駆動される低圧バイパス弁とを有する発電プラントを制御するタービン制御装置において、負荷しゃ断時、負荷しゃ断信号を用いて加減弁を全閉としたまま、タービン速度が定格速度時にインタセプト弁による速度制御を行うことによって、達成される。
また、速度補正ゲイン切替手段を設け、負荷しゃ断信号を用いて、負荷しゃ断の発生から一定時間後に速度ゲインを通常ゲインから速度補正ゲインに切替えることによって、達成される。
また、加速度リレー再動作防止手段を設け、負荷しゃ断時インタセプト弁が急閉動作した後、再開する時のタービン速度上昇による加速度リレーの再動作を防止することによって、達成される。
【０００６】
【作用】
本発明においては、負荷しゃ断後のインタセプト弁による速度制御において、タービン速度が定格速度時にインタセプト弁と加減弁が干渉することなく、インタセプト弁による安定したプラント運転が実現できる。
また、インタセプト弁速度制御に適合した最適な速度制御ゲインを設定することにより、安定したインタセプト弁制御が可能となる。
また、負荷しゃ断時インタセプト弁が急閉動作後、再開する時のタービン速度上昇による加速度リレーの再動作を防止することにより、不用意なインタセプト弁の急閉動作を防止し、安定したインタセプト弁による速度制御が可能となる。
【０００７】
【実施例】
以下、本発明の実施例を図面を用いて説明する。
図１は、本発明によるタービン制御装置の一実施例を示す。本実施例において図６の従来例と同一符号は同じ対象物を表す。図１において、３００は加減弁３の開閉動作抑制部、４００は負荷しゃ断後の速度補正ゲイン切替部、５００はインタセプト弁８の不用意な急閉動作を防止する加速度リレー再動作防止部を示す。加減弁３の開閉動作抑制部３００は、負荷しゃ断後のタービンの制御をインタセプト弁８による速度制御とし、加減弁３を全閉位置のままとする即ち加減弁の開閉動作を抑制する。負荷しゃ断後の速度補正ゲイン切替部４００は、負荷しゃ断に伴うガバナランバック後の切替を行い、インタセプト弁８の速度制御に適合した適切な速度制御ゲインに切替える。インタセプト弁８の不用意な急閉動作を防止する加速度リレー再動作防止部５００は、負荷しゃ断時インタセプト弁８が急閉動作した後、再開し、タービン実速度が上昇して実加速度が予め設定した加速度設定値より高くなったとき、タービン速度上昇による加速度リレーの再動作を防止し、不用意なインタセプト弁８の急閉動作を防止する。
【０００８】
図３に、加減弁３の開閉動作抑制部３００の詳細を示す。加減弁３の開閉動作抑制部３００は、ゼロ信号発生回路３１２、フリップフロップ３１６、切替スイッチ３６０からなり、３１７は負荷しゃ断信号、３２３は運転停止のためのタービントリップ信号、３２５は全弁閉信号、３２４は主しゃ断器（発電機）信号を示す。また、図３において図６の従来例と同一符号は同じ対象物を表す。
加減弁３の開閉動作抑制部３００の動作を図９を参照しながら説明する。信号発生器６００には、定格タービン速度が設定されており、通常運転時、タービン実速度信号６２０との偏差を減算器６４１にて求め、速度調定率６０２にて乗算し、負荷設定器６０４の位置と加算器６４２において加算する。この時、負荷制限器６０３の位置は、全開位置にあるため、低値選択回路６０７により、加算器６４２の出力信号が選択される。フリップフロップ３１６は通常運転状態にあることからリセット状態にあり、切替スイッチ３６０を低値選択回路６０７に接続する。これにより、低値選択回路６０７の出力信号は加減弁開度特性６０８、インタセプト弁開度特性６１０、さらに、加減弁開速度変化率制限６０９、インタセプト弁開速度変化率制限６１１をそれぞれ通り、加減弁３、インタセプト弁８へ弁開度指令として出力される。加減弁３、インタセプト弁８は、それぞれの弁開度指令と加減弁３の実弁開度、インタセプト弁８の実弁開度との偏差により制御される。
いま、負荷しゃ断が発生すると（図９、Ａ点）、タービン回転数（速度）が上昇し（図９、（ａ））、負荷しゃ断検出信号６２１により、フリップフロップ６０５がセットされ、フリップフロップ６０５からガバナランバック信号６５１が負荷設定器６０４に出力されると共に、フリップフロップ３１６がセットされる。フリップフロップ３１６は負荷しゃ断信号３１７として”１”を出力し、本信号により、負荷設定器６０４の位置をランバックさせると共に（図９、（ｅ））、切替スイッチ３６０が動作し、低値選択回路６０７からゼロ信号発生回路３１２に切替え、ゼロ信号発生器３１２より加減弁開度制御信号として全閉位置信号が出力され、加減弁開度特性６０８、加減弁開速度変化率制限６０９を通り、加減弁３に弁開度全閉位置指令が出力される。これにより、加減弁３は全閉位置に制御される（図９、（ｄ））。一方、インタセプト弁８は、切替スイッチ３６０前の低値選択６０７の出力信号がインタセプト弁開度制御信号となり、インタセプト弁８が開度制御され、負荷しゃ断後は、インタセプト弁速度制御となる（図９、（ｂ））。運転停止のためのタービントリップ信号３２３と全弁閉信号３２４は運転を停止するときの信号であり、この信号が出力すると、フリップフロップ３１６がリセットされ、切替スイッチ３６０が低値選択回路６０７に切替わり、図示しない手段により運転が停止する。また、主しゃ断器（発電機）信号３２５の閉信号”１”が出力すると、フリップフロップ３１６がリセットされ、切替スイッチ３６０が低値選択回路６０７に切替わり、通常運転状態となる。
また、加減弁３を全閉させる別の手段として、負荷しゃ断信号３１７を負荷制限器６０３に加え、負荷制限器６０３を図７の加減弁３の全閉位置に相当するａ点までランバックさせることにより、加減弁３を全閉させることもできる。
このように、加減弁３の開閉動作抑制部３００を設けることにより、負荷しゃ断の発生時、加減弁３を全閉位置に制御し、インタセプト弁８の開度制御信号によってインタセプト弁８を制御するインタセプト弁速度制御となるので、加減弁とインタセプト弁の相互干渉を防止し、プラントを安定運転することができる。
【０００９】
図４に、負荷しゃ断後の速度補正ゲイン切替部４００の詳細を示す。速度補正ゲイン切替部４００は、遅れタイマ（タイムディレー）４１３、加減弁３が全閉したか否かをチェックし、加減弁３が全閉のとき、”１”を出力する比較器４１４、フリップフロップ４１５、タイマ４１７、タイマ４１８、切替スイッチ４６１、速度補正ゲイン設定器４７０、通常ゲイン設定器４８０、速度補正ゲイン信号発生器４９０からなり、４９１は速度補正ゲイン信号を示す。また、図４において図３および図６の従来例と同一符号は同じ対象物を表す。
速度補正ゲイン切替部４００の動作を図９を参照しながら説明する。通常運転時には、フリップフロップ６０５がリセットされた状態にあり、切替スイッチ３６０は低値選択回路６０７に接続されている。いま、負荷しゃ断が発生すると（図９、Ａ点）、タービン回転数（速度）が上昇し（図９、（ａ））、図３で説明したように、負荷しゃ断検出信号６２１によりフリップフロップ６０５がセットされ、フリップフロップ６０５のセット信号によりフリップフロップ３１６がセットされる。フリップフロップ３１６は負荷しゃ断信号３１７として”１”を出力し、本信号により、負荷設定器６０４の位置をランバックさせると共に（図９、（ｅ））、切替スイッチ３６０が動作し、低値選択回路６０７からゼロ信号発生回路３１２に切替え、ゼロ信号発生器３１２より加減弁開度制御信号として全閉位置信号が出力され、加減弁開度特性６０８、加減弁開速度変化率制限６０９を通り、加減弁３に弁開度全閉位置指令が出力される。これにより、加減弁３は全閉位置に制御される（図９、（ｄ））。一方、負荷しゃ断信号３１７はタイマ４１８に印加され、一定時間後（図９、Ｔ0秒＋Ｔ1秒）に切替スイッチ４６１を速度補正ゲイン設定器４７０に接続し、速度補正ゲイン信号発生器４９０から速度補正ゲイン信号４９１を速度補正ゲイン４０２に出力し、通常ゲイン設定器４８０の通常ゲイン（図９、（ｆ）αパーセント）からバンプレスに負荷しゃ断時の速度補正ゲイン（図９、（ｆ）βパーセント）に切替える。
また、負荷しゃ断後の速度補正ゲインを切替える別の手段として、主しゃ断器（発電機）が開状態つまり負荷しゃ断状態にあり、加減弁３が全閉であることを条件にすることができる。この場合、主しゃ断器（発電機）信号３２５は開信号”０”であり、この開信号”０”はノット回路、遅れタイマ４１３を介してアンド回路に入力され、一方、加減弁３の弁開度全閉位置指令がＢを介して比較器４１４に入力され、比較器４１４から全閉信号”１”がアンド回路に入力される。アンド回路の出力は、フリップフロップ４１５をセットし、タイマ４１７を介して一定時間後（図９、Ｔ0秒＋Ｔ1秒）に切替スイッチ４６１を速度補正ゲイン設定器４７０に接続し、速度補正ゲイン信号発生器４９０から速度補正ゲイン信号４９１を速度補正ゲイン４０２に出力し、通常ゲイン設定器４８０の通常ゲイン（図９、（ｆ）αパーセント）からバンプレスに負荷しゃ断時の速度補正ゲイン（図９、（ｆ）βパーセント）に切替える。
一方、運転停止のためのタービントリップ信号３２３または全弁閉信号３２４が出力すると、フリップフロップ３１６がリセットされ、切替スイッチ３６０が低値選択回路６０７に切替わり、また、フリップフロップ４１５がリセットされ、切替スイッチ４６１が通常ゲイン設定器４８０に切替わり、図示しない手段により運転が停止する。また、主しゃ断器（発電機）信号３２５の閉信号が出力すると、フリップフロップ３１６がリセットされ、切替スイッチ３６０が低値選択回路６０７に切替わり、また、フリップフロップ４１５がリセットされ、切替スイッチ４６１が通常ゲイン設定器４８０に切替わり、通常運転状態となる。
このように、負荷しゃ断後の速度補正ゲイン切替部４００を設けることにより、負荷しゃ断時のガバナランバックの切替えに伴い、インタセプト弁速度制御に適合した最適な速度制御ゲインを設定することができ、安定したインタセプト弁制御が可能となる。
また、図４の速度補正ゲイン切替部４００は、図３の加減弁３の開閉動作抑制部３００と組み合わせることにより、より安定したプラント運転が可能となる。
【００１０】
図５に、インタセプト弁８の不用意な急閉動作を防止する加速度リレー再動作防止部５００の詳細を示す。加速度リレー再動作防止部５００は、タービン実速度を加速度に変換する微分器５５０、加速度設定値より微分器５５０の出力が大きいとき、”１”を出力し、加速度リレー（図示せず）を動作させ、インタセプト弁８を急閉動作させる比較器５５１、タービン実速度と設定したタービン速度を比較する通常時専用比較器５５２、タービン実速度と負荷しゃ断時用に設定したタービン速度を比較する負荷しゃ断時専用比較器５５３、一定時間後に作動するタイマ５５４からなる。また、図５において図３、図４および図６の従来例と同一符号は同じ対象物を表す。
ここで、加速度リレーとは、タービン実速度の上昇変化率（加速度）が規定値以上になったことを検出し、更に、タービン実速度が加速度リレー動作検出速度以上である時に、タービン速度上昇を防止する目的でインタセプト弁を急閉させるものである。
加速度リレー再動作防止部５００の動作を図９を参照しながら説明する。通常運転時には、タービン実速度信号６２０をＡから微分器５５０に入力し、タービン実速度を実加速度に変換する。この実加速度が比較器５５１において予め設定した加速度設定値と比較され、実加速度が加速度設定値より低いときは、比較器５５１から出力がなく、加速度リレーを動作させることはない。いま、負荷しゃ断が発生すると（図９、Ａ点）、タービン実速度が上昇し（図９、（ａ））、実加速度が比較器５５１の加速度設定値より高くなり、かつ、タービン実速度が通常時専用比較器５５２に設定したタービン速度（図９、（ｇ）ｃパーセント）を超えたとき、アンド回路からインタセプト弁８の急閉信号”１”が加速度リレーに出力され（図９、（ｃ）Ｂ点）、インタセプト弁８を急閉する（図９、（ｂ））。しかし、インタセプト弁８が急閉動作した後、再び開制御され、タービン速度が上昇するとき、加速度リレーが再動作する恐れがあるため、図４で説明した負荷しゃ断後の速度補正ゲイン切替時の負荷しゃ断信号３１７をタイマ５５４に入力し、一定時間経過後すなわち負荷設定器６０４のランバック完了後（図９、Ｔ2秒）、ノット回路により通常時専用比較器５５２の出力を阻止すると同時に、負荷しゃ断時専用比較器５５３に負荷しゃ断時用に設定したタービン速度（図９、（ｇ）ｄパーセント）に切替え、アンド回路からインタセプト弁８の急閉信号”０”を出力させ、加速度リレーの再動作を防止し、インタセプト弁８の急閉動作を防ぐ。このようにして、負荷しゃ断時インタセプト弁８が急閉動作した後、再開する時のタービン速度上昇による加速度リレーの再動作を防止する。これにより、不用意なインタセプト弁８の急閉動作を防止し、安定したインタセプト弁８による速度制御を可能となる。
なお、図３、図４、図５の各部は、負荷しゃ断発生後、負荷しゃ断速度制御に自動的に移行するが、揃速制御または負荷設定器５０４の手動操作時には、通常制御に移行する。
【００１１】
【発明の効果】
以上説明したように、本発明によれば、負荷しゃ断後のインタセプト弁による速度制御において、タービン速度が定格速度時にインタセプト弁と加減弁が干渉することなく、インタセプト弁による安定したプラント運転が実現できる。
また、インタセプト弁速度制御に適合した最適な速度制御ゲインを設定することにより、安定したインタセプト弁制御が可能となる。
また、負荷しゃ断時インタセプト弁が急閉動作後、再開する時のタービン速度上昇による加速度リレーの再動作を防止することにより、不用意なインタセプト弁急閉動作を防止し、安定したインタセプト弁による速度制御が可能となる。
【図面の簡単な説明】
【図１】本発明によるタービン制御装置の一実施例を示す。
【図２】タービンバイパス系統を有する蒸気タービン系の系統図を示す。
【図３】本実施例の加減弁の開閉動作抑制部の詳細を示す。
【図４】本実施例の負荷しゃ断後の速度補正ゲイン切替部の詳細を示す。
【図５】本実施例のインタセプト弁の急閉動作防止部の詳細を示す。
【図６】従来のタービン制御装置を示す。
【図７】インタセプト弁８と加減弁３の開閉特性を示す。
【図８】負荷しゃ断時のタービン速度と弁開度特性を示す。
【図９】本発明による負荷しゃ断後の制御動作を示す。
【符号の説明】
１  ボイラ
２  主蒸気止め弁
３  加減弁
４  高圧タービン
５  逆止弁
６  再熱器
７  再熱蒸気止弁
８  インタセプト弁
９  インタセプトバイパス弁
１０  中圧タービン
１１  低圧タービン
１２  復水器
１３  発電機
１４  高圧バイパス弁
１５  低圧バイパス弁
１８  加熱器
１９  ポンプ
２１  主蒸気系統
２２  再熱系統
２３  タービンバイパス系統
２４  蒸気系統
２５  復水系統
３００  加減弁３の開閉動作抑制部
４００  負荷しゃ断後の速度補正ゲイン切替部
５００  インタセプト弁８の急閉動作防止部
【図１】
0003567296.tif 000002
【図２】
0003567296.tif 000003
【図３】
0003567296.tif 000004
【図４】
0003567296.tif 000005
【図５】
0003567296.tif 000006
【図６】
0003567296.tif 000007
【図７】
0003567296.tif 000008
【図８】
0003567296.tif 000009
【図９】
0003567296.tif 000010